(57)【要約】【課題】弁座構造を簡素化して部品点数を低減し、製造及び組付作業を容易に行うことができ、把持部の耐久性を向上することができるシャワーヘッドを提供する。【解決手段】シャワーヘッド１１を構成するケース１２の内部に水の流路１６を有する内筒１７を挿入固定し、内筒１７の先端部に水の流路１９を有する通水部材２０を接続する。前記内筒１７の先端部に開閉弁機構３１を装着する。前記内筒１７の内部に弁孔３２を有する弁座３３を一体に成形する。該弁座３３に環状溝３３ａを形成し、該環状溝３３ａにシール部材４０を収容する。前記弁座３３に対応するように弁収容筒３７を設け、該弁収容筒３７に弁体３８を収容する。弁体３８のシール面を前記シール部材４０に接触することによって、弁座３３と弁体３８のシールを保持する。【選択図】図１
2011224207.tif 000002
【特許請求の範囲】
【請求項１】
シャワーヘッド本体の内側に弁孔を有する弁座を一体に形成するとともに、シャワーヘッド本体に前記弁座に対向する弁体が備えられた開閉弁を装着し、前記弁座に弁孔の外周に位置するように環状溝を形成し、該環状溝に前記弁体に接触される環状のシール部材を収容したことを特徴とするシャワーヘッド。
【請求項２】
請求項１において、前記シャワーヘッド本体は、その内部に内筒を有し、該内筒の流路に前記弁孔を有する弁座が形成されていることを特徴とするシャワーヘッド。
【請求項３】
請求項２において、前記開閉弁は、押ボタンを押動操作する毎に弁体が開弁位置と閉弁位置との間で交互に切り換えられるように構成されていることを特徴とするシャワーヘッド。
【請求項４】
請求項２又は３において、前記内筒には弁座の上流側の流路の圧力を逃すためのリリーフバルブが設けられていることを特徴とするシャワーヘッド。
【請求項５】
請求項１〜４のいずれか一項において、前記開閉弁はユニット化されていることを特徴とするシャワーヘッド。
【発明の詳細な説明】
【技術分野】
【０００１】
本発明は、開閉弁を手動操作することによって、放水状態又は止水状態に切り換えることができるシャワーヘッドに関するものである。
【背景技術】
【０００２】
この種のシャワーヘッドとして、特許文献１や特許文献２に開示されたものが提案されている。特許文献１のシャワーヘッドは、シャワーヘッド本体の内部に形成された水の流路の途中に、該本体と別体で、かつ弁孔を有する弁座が取り付けられるとともに、前記弁孔を囲むように前記弁座に形成された環状溝にシール部材が接合されている。又、前記シャワーヘッド本体に設けられた弁収容筒内に、前記弁座の弁孔を開閉するバルブが往復動可能に、かつ常にはバネによって閉弁位置に保持されている。さらに、前記シャワーヘッド本体には、前記バルブを手動操作によって開放するための押しボタン及び押し棒が設けられている。
【０００３】
特許文献２のシャワーヘッドはシャワーヘッド本体の把持部の内部に温水の流路を形成する内筒を挿入するとともに、内筒に温水を供給したり、温水の供給を停止したりすることができる開閉弁が装着されている。この内筒には、弁押さえが設けられるとともに、該弁押さえに台座が接合され、該台座にシールパッキンが装着されている。
【先行技術文献】
【特許文献】
【０００４】
【特許文献１】特開２００２‐５１９３０号公報
【特許文献２】特開２００５‐１３１５５７号公報
【発明の概要】
【発明が解決しようとする課題】
【０００５】
特許文献１に開示されたシャワーへッドは、ヘッド本体の内部全体が冷水や温水の流路となっているので、ヘッド本体の内部の水量が多くなって、シャワーヘッドが重くなるという問題があった。又、冷水や温水によってヘッド本体が直接加熱されたり、冷却されたりすることが繰り返されるので、ヘッド本体の表面にメッキが施こされている場合には、そのメッキにクラックが入ってメッキが剥れる虞れがあった。
【０００６】
又、特許文献１に開示されたシャワーヘッドは、ヘッド本体と別に弁座が取り付けられているので、部品点数が多くなって、製造及び組付作業が面倒であるという問題があった。
【０００７】
一方、特許文献２に開示されたシャワーヘッドは、内筒の流路内を温水が流れるようになっているので、ヘッド本体の把持部が加熱されることによる問題は生じない。しかし、内筒の途中に、該内筒と別体に形成された台座及び弁押さえが必要になるので、部品点数が増加し、製造及び組付作業が面倒であるという問題があった。
【０００８】
本発明の第１の目的は、上記従来の技術に存する問題点を解消して、弁座構造を簡素化して部品点数を低減し、製造及び組付作業を容易に行うことができるシャワーヘッドを提供することにある。
【０００９】
本発明の第２の目的は、上記第１の目的に加えて、ヘッド本体の把持部の温度上昇を抑制して、把持部の耐久性を向上することができるシャワーヘッドを提供することにある。
【課題を解決するための手段】
【００１０】
上記問題点を解決するために、請求項１に記載の発明は、シャワーヘッド本体の内側に弁孔を有する弁座を一体に形成するとともに、シャワーヘッド本体に前記弁座に対向する弁体が備えられた開閉弁を装着し、前記弁座に弁孔の外周に位置するように環状溝を形成し、該環状溝に前記弁体に接触される環状のシール部材を収容したことを要旨とする。
【００１１】
請求項２に記載の発明は、請求項１において、前記シャワーヘッド本体は、その内部に内筒を有し、該内筒の流路に前記弁孔を有する弁座が形成されていることを要旨とする。
請求項３に記載の発明は、請求項２において、前記開閉弁は、押ボタンを押動操作する毎に弁体が開弁位置と閉弁位置との間で交互に切り換えられるように構成されていることを要旨とする。
【００１２】
請求項４に記載の発明は、請求項２又は３において、前記内筒には弁座の上流側の流路の圧力を逃すためのリリーフバルブが設けられていることを要旨とする。
請求項５に記載の発明は、請求項１〜４のいずれか一項において、前記開閉弁はユニット化されていることを要旨とする。
【００１３】
（作用）
本発明は、シャワーヘッド本体に弁孔を有する弁座が一体に形成され、該弁座に弁孔の外周に位置するように環状溝が形成され、該環状溝に弁体に接触される環状のシール部材が収容されている。このため、弁座構造を簡素化して部品点数を低減し、製造及び組付作業を容易に行うことができる。
【発明の効果】
【００１４】
請求項１〜５のいずれか１項に記載の発明によれば、弁座構造を簡素化して部品点数を低減し、製造及び組付作業を容易に行うことができる。
請求項２に記載の発明は、上記の効果に加えて、把持部の温度上昇を抑制して、把持部の耐久性を向上することができる。
【図面の簡単な説明】
【００１５】
【図１】この発明のシャワーヘッドの止水状態の中央部縦断面図。
【図２】シャワーヘッドの構成部品の分離断面図。
【図３】開閉弁の閉弁状態の拡大断面図。
【図４】開閉弁の開弁状態の拡大断面図。
【図５】内筒と開閉弁の分離斜視図。
【図６】この発明の別の実施形態を示す中央部縦断面図。
【発明を実施するための形態】
【００１６】
以下、本発明を具体化したシャワーヘッドの一実施形態を図１〜図５に従って説明する。
図１に示すように、シャワーヘッド１１は、例えばＡＢＳ（アクリルニトリル・ブタジエン・スチレン共重合）樹脂等の合成樹脂により形成された筒状のケース１２を備えている。該ケース１２は図２に示す第１ケース片１２Ａと、第２ケース片１２Ｂとを組み合わせることによって構成されている。前記ケース１２の表面にはニッケルクロム等の耐食性に優れ、高級感を出すためのメッキが施されている。
【００１７】
前記ケース１２内には、水の流路１６を有する例えばＡＢＳ等の合成樹脂製の内筒１７が挿入され、前記第２ケース片１２Ｂの内面に図示しないボルトによって固定されている。該内筒１７の下端部には、ホース１８が接続されている。前記内筒１７の開口部には、流路１９を有する通水部材２０が接続されている。前記ケース１２のヘッド部１３の開口部には、多数の小孔２３を有する散水板２４が嵌合されている。前記流路１９からの水は、散水板２４の小孔２３から放出される。前記ホース１８からの冷水、温水あるいは冷温混合水は、前記内筒１７及び通水部材２０を流れるため、それらの温度が前記ケース１２及びヘッド部１３に直接伝達されないようになっている。
【００１８】
次に、前記内筒１７内において水の流路１６の開閉を行うための開閉弁機構３１について説明する。
図１及び図２に示すように、前記内筒１７の内部には、弁孔３２を有する弁座３３が一体に形成されている。前記弁座３３と対応するように、前記内筒１７の外周壁には、取付孔３４が内外に貫通するように形成されている。前記内筒１７の外周壁には、前記取付孔３４を包囲する取付筒部３５が一体に形成されている。
【００１９】
図３に示すように、前記取付孔３４及び取付筒部３５内には弁開閉ユニット３０が設けられている。取付孔３４にはシールリング３６を介して弁開閉ユニット３０の弁収容筒３７が貫通支持されている。この弁収容筒３７は、図５に示す弁開閉ユニット３０を取付筒部３５の内部に収容した状態で、前記内筒１７に設けた一対の挿入孔１７ａに逆Ｕ字状の位置規制ピンＰを挿入し、該位置規制ピンＰを前記弁収容筒３７の外周面に形成されたフランジ部３７ａに係止することによって、取付筒部３５内に固定されている。図３に示すように、前記弁収容筒３７には弁体３８が前記弁座３３に対して接離可能に挿入されている。前記弁体３８の外周面に形成された環状溝には、前記弁収容筒３７の内周面に接触されるシールリング３９が嵌入されている。
【００２０】
前記弁座３３には、前記弁孔３２と同心状に環状溝３３ａが形成され、該環状溝３３ａにはシール部材４０が嵌入され、該シール部材４０のシール面には、図４に示すように円環状のシール突条４０ａが一体に形成されている。前記弁体３８の先端部には、前記弁孔３２に挿入されるテーパ部３８ａが一体に形成され、該テーパ部３８ａの基端部において弁体３８には、前記シール部材４０のシール突条４０ａに対応するシール面３８ｂが形成されている。
【００２１】
前記弁体３８の基端部には、軸部３８ｃが一体に形成され、該軸部３８ｃにはインナーボタン４１が軸方向に摺動可能に嵌合されている。該インナーボタン４１と弁体３８との間には、コイルばね４２が介在され、該コイルばね４２によって弁体３８が閉弁方向に付勢されている。前記インナーボタン４１の外周面には、アウターボタンとしての押ボタン４３が固定されている。
【００２２】
前記弁収容筒３７と前記インナーボタン４１との間には、コイルばね４４が介在されている。該コイルばね４４によって、前記インナーボタン４１及び押ボタン４３が前記弁収容筒３７から離隔する開弁方向に付勢されている。前記弁収容筒３７、インナーボタン４１及び押ボタン４３には、ハートカムを含む周知の保持機構が介在されている。この保持機構の機能については後述する。
【００２３】
図１〜図３に示すように、前記内筒１７には、前記弁座３３の近傍に位置するように、リリーフバルブ５１が設けられている。そして、前記開閉弁機構３１の上流側の流路１６の圧力が過度に上昇した場合に、コイルばね５３の弾性力に抗して弁体５２が開かれ、その圧力が逃がされてウォーターハンマー及び流路１６内の異常な圧力上昇（シャワーヘッド流路内）が防止されるようにしている。
【００２４】
次に、前記のように構成されたシャワーヘッド１１の作用について説明する。
図１及び図３は前記押ボタン４３が押し込まれて、前記保持機構の作用により没入位置に保持されている。この状態においては、インナーボタン４１がコイルばね４４の付勢力に抗して弁収容筒３７の内部に押し込まれ、コイルばね４２が圧縮されて、弁体３８が閉弁位置に移動され、弁体３８のシール面３８ｂが弁座３３のシール部材４０のシール突条４０ａに押し付けられ、弁孔３２が弁体３８によって閉鎖されている。
【００２５】
上記放水停止状態において、図１，３に示す前記押ボタン４３が若干押し込まれると、前記保持機構の保持機能が解除され、この結果、前記インナーボタン４１及び押ボタン４３が前記コイルばね４４の蓄勢力によって、図３において右方の開弁方向に移動され、前記インナーボタン４１及び押ボタン４３の移動により弁体３８が前記弁座３３から離隔される。このようにして、図３に示す弁開閉ユニット３０の弁体３８が閉弁位置から図４に示す開弁位置に移動される。この結果、温水、冷水あるいは冷温混合水が弁孔３２を通して通水部材２０の流路１９内に流入され、散水板２４の多数の小孔２３から外部に放出される。
【００２６】
上記実施形態のシャワーヘッド１１によれば、以下のような効果を得ることができる。
（１）上記実施形態では、前記内筒１７に弁孔３２を有する弁座３３を一体に成形するとともに、該弁座３３に形成した環状溝３３ａにシール部材４０を収容した。そして、該シール部材４０と弁体３８との間においてシールを行うようにした。以上のように、内筒１７とは別体の弁座を内筒に組み付ける従来の弁座構造と比較して、部品点数を低減して、製造及び組付作業を容易に行うことができるとともに、弁座構造を頑丈なものにすることができる。
【００２７】
（２）上記実施形態では、前記ケース１２の内部に内筒１７を収容し、ヘッド部１３の内部に通水部材２０を収容した。このため、流路１６，１９内の冷温水の温度がケース１２及びヘッド部１３に直接伝達されるのを防止して、ケース１２及びヘッド部１３の膨張や収縮を抑制することができ、ケース１２及びヘッド部１３の表面に施されたメッキが剥離するのを防止することができる。
【００２８】
（３）上記実施形態では、前記内筒１７にリリーフバルブ５１を設けたので、開閉弁機構３１の上流側の水圧が異常に上昇した場合に、その圧力を逃すことができる。このため、各部の不調や損傷を防止することができる。
【００２９】
なお、上記実施形態は以下のように変更してもよい。
・図６に示すように、前記内筒１７を使用しないシャワーヘッド１１のケース１２の内部に、該ケース１２と一体に弁孔３２を有する弁座３３を一体に形成し、ケース１２に開閉弁機構３１を装着してもよい。この実施形態においても、弁座構造を簡素化することができる。
【００３０】
・ヘッド部１３及び散水板２４の構造を、散水モードと、ストレート水モードとの間で切り換えができる構成に変更してもよい。
【符号の説明】
【００３１】
１６，１９…流路、１７…内筒、３０…弁開閉ユニット、３１…開閉弁機構、３２…弁孔、３３…弁座、３３ａ…環状溝、３８，５２…弁体、４０…シール部材、４３…押ボタン、５１…リリーフバルブ。
【図１】
2011224207.tif 000003
【図２】
2011224207.tif 000004
【図３】
2011224207.tif 000005
【図４】
2011224207.tif 000006
【図５】
2011224207.tif 000007
【図６】
2011224207.tif 000008